(57)【要約】【課題】ドリンク用ボトルに水を入れて、そのボトルの口部に取り付けることにより、ボトルの水を各種の飲料にすることができて、ボトルを再利用することができるペットボトル等ドリンク用ボトルのキャップを提供する。【解決手段】ペットボトル３等のドリンク用ボトルの口部６に着脱自在で、ボトルの口部６の内側へ挿入する底蓋９付きの内筒部５を有して、水１９と混ぜ合わせることによりジュース、お茶、コーヒー等の各種飲料になる飲料の素１０をその内筒部５の中に詰め込んだキャップ本体１と、そのキャップ本体１に対し変位可能に組み付けられて、キャップ本体１に対し変位させることによりキャップ本体１における上記の底蓋９を開いて内筒部５に詰め込んだ上記の飲料の素１０を内筒部５からボトル内へ落下可能にしたキャップ副体２とから成る。【選択図】　　　　図２
2004083022.tif 000002
【特許請求の範囲】
【請求項１】
ペットボトル３等のドリンク用ボトルの口部６に着脱自在で、ボトルの口部６の内側へ挿入する底蓋９付きの内筒部５を有して、水１９と混ぜ合わせることによりジュース、お茶、コーヒー等の各種飲料になる飲料の素１０をその内筒部５の中に詰め込んだキャップ本体１と、そのキャップ本体１に対し変位可能に組み付けられて、キャップ本体１に対し変位させることによりキャップ本体１における上記の底蓋９を開いて内筒部５に詰め込んだ上記の飲料の素１０を内筒部５からボトル内へ落下可能にしたキャップ副体２とから成るペットボトル等ドリンク用ボトルのキャップ。
【発明の詳細な説明】
【０００１】
【発明の属する技術分野】
本発明は、ペットボトル等のドリンク用ボトルのキャップに関する。
【０００２】
【従来の技術】
従来、ペットボトルにはジュース、お茶、コーヒー等の液体飲料が詰め込まれている。そして、これら飲料を飲み終えるとペットボトルは捨てられていた。
【０００３】
【発明が解決しようとする課題】
本発明は、ドリンク用ボトルに水を入れて、そのボトルの口部に取り付けることにより、ボトルの水を各種の飲料にすることができて、ボトルを再利用することができ、又、ボトルに取り付けない状態では密閉型粉末原料入れとしても使用することができるキャップの提供を課題とする。
【０００４】
【課題を解決するための手段】
上記課題を解決するために、本発明のペットボトル等ドリンク用ボトルのキャップは、ペットボトル３等のドリンク用ボトルの口部６に着脱自在で、ボトルの口部６の内側へ挿入する底蓋９付きの内筒部５を有して、水１９と混ぜ合わせることによりジュース、お茶、コーヒー等の各種飲料になる飲料の素１０をその内筒部５の中に詰め込んだキャップ本体１と、そのキャップ本体１に対し変位可能に組み付けられて、キャップ本体１に対し変位させることによりキャップ本体１における上記の底蓋９を開いて内筒部５に詰め込んだ上記の飲料の素１０を内筒部５からボトル内へ落下可能にしたキャップ副体２とから成る、という構成にしたものである。
【０００５】
【発明の実施の形態】
以下、図を用いて本発明の実施の形態について説明する。まず、本発明のキャップは、キャップ本体１と、キャップ副体２とによって構成している。このキャップ本体１とキャップ副体２は、両方ともプラスチックにより成形することができる。なお、図はペットボトル３に取り付けた状態を示しているが、その他のドリンク用ボトルに取り付けることも可能である。
【０００６】
キャップ本体１は外筒部４と内筒部５を有している。外筒部４はペットボトル３の口部６の外側に被せて、口部６の外面に設けた雄ネジ７と螺着する雌ネジ８を内面部に設けることにより、ペットボトル３に対し着脱自在としている。
【０００７】
キャップ本体１の内筒部５は、ペットボトル３の口部６の内側に挿入可能で、底蓋９を有し、その内部に、水と混ぜ合わせることによりジュース、お茶、コーヒー等の各種飲料になる飲料の素１０を詰め込んでいる。この飲料の素１０は粉末状にすることが好適であるが、粒状、クリーム状、又は液体状などにすることも可能である。
【０００８】
キャップ本体１における内筒部５の底蓋９は周りに薄肉部１１を設けていて、その薄肉部１１を容易に切断可能としている。この薄肉部１１を切断すると、底蓋９は内筒部５から分離して開いた状態となり、内筒部５の下端は開口状態となる。なお、底蓋９が開いたときにペットボトル３の内部へ底蓋９が落下しないように、変形容易な連結片１２で底蓋９と内筒部５とを繋いでいる。
【０００９】
キャップ副体２は、キャップ本体１に対し変位可能に組み付けることができて、変位することによりキャップ本体１の上記の底蓋９における薄肉部１１を切断可能な手段を具えた構造にする。例えば、図示したように、上端に回転操作用のツマミ１３を有し、その下方にキャップ本体１の内筒部５に挿入する筒部１４を有し、その筒部１４の外面に雄ネジ１５を設けて、キャップ本体１の内筒部５の内面に設けた雌ネジ１６に対しその雄ネジ１５を螺着させ、又、筒部１４の下端に爪片１７を突設した構造にすることができる。なお、使用前は、図１に示すように、封止リング１８でキャップ副体２をキャップ本体１に対し回転不能に固定しておく。
【００１０】
キャップ副体２を上記のような構造にした場合、図２に示すように、上記の封止リング１８を取り除いて、そのツマミ１３を回転操作すると、キャップ副体２はキャップ本体１に対し上下方向へ変位可能となる。そして、キャップ副体２を下方へ移動させると、筒部１４の下端に突設した爪片１７がキャップ本体１の内筒部５の底蓋９における薄肉部１１に当たり、その薄肉部１１を押し切ることができる。これにより底蓋９が開いて、キャップ本体１の内筒部５に詰め込んだ飲料の素１０（なお、筒部１４は内筒部５の内部に挿入して、その下端を開口しているので、内筒部５に詰め込んだ飲料の素１０は、図に示すように筒部１４の内部にも入り込んでいる。）がペットボトル３の内部へ落下する。そして、ペットボトル３の内部に水１９を詰め込んでおけば、飲料の素１０がその水１９と混ぜ合わさって飲料となる。
【００１１】
本発明のキャップは、単品として提供することもできるし、ペットボトル３等のドリンク用ボトルに取り付けた状態で提供することもできる。単品として提供した場合は、提供を受けた者が水１９を入れたペットボトル３等に取り付けて使用する。ペットボトル３等のドリンク用ボトルに取り付けた状態で提供する場合は、使用前に、キャップ本体１も上記のキャップ副体２と同様に封止リング２０に接続状態として回転不能に固定しておく。なお、図はキャップ本体１と封止リング２０を切り離した後の状態を示している。
【００１２】
本発明のキャップは、ペットボトル３等のドリンク用ボトルに取り付けないで、そのまま密閉型粉末原料入れとしても使用することができる。その場合、キャップ本体１の内筒部５に詰め込むのは飲料の素１０でなくてもよく、その他の任意の粉末原料を詰め込むことができる。
【００１３】
ペットボトル３内の水１９と飲料の素１０とを混ぜ合わせて作った飲料を飲む場合は、キャップ本体１をペットボトル３の口部６から取り外せばよい。なお、図に示すように、キャップ本体１の内筒部５を上下方向に開通させれば、キャップ本体１をペットボトル３に取り付けたままでも、キャップ副体２をキャップ本体１から取り外すことによっても飲むことができる。
【００１４】
【発明の効果】
本発明のペットボトル等ドリンク用ボトルのキャップは上記の通りであり、これを単品で又はペットボトル３等に取り付けた状態で消費者に提供すれば、ペットボトル３等のボトルが空になったときに、消費者はそのボトルにただの水１９を入れてから、そのボトルの口部６にこのキャップを取り付けて、そのキャップの内筒部５の底蓋９を開いて飲料の素１０をボトル内に落下させることにより、そのボトル内に飲料を作り出すことができる。そして、ボトル内の水１９を詰め替えるとともに、キャップも交換すれば何度でも飲料を作ることができるので、ボトルを捨てなくてもすむ。
また、このキャップを単品で又はペットボトル３等に取り付けた状態で飲料メーカーに供給すれば、飲料メーカーはボトル内に水１９を詰め込むだけでよく、飲料の種類別の製造工程が不要になり、異なる種類の飲料にするには内筒部５に入れる内容物を変えるだけでよい、というメリットがある。
また、本発明のキャップは、ドリンク用ボトルに取り付けずに、単独で密閉型粉末原料入れとしても使用することができるので、有用性が高い。
【図面の簡単な説明】
【図１】ペットボトルに取り付けて、内筒部の底蓋を閉じている状態の断面図である。
【図２】ペットボトルに取り付けて、内筒部の底蓋を開いた状態の断面図である。
【符号の説明】
１　キャップ本体
２　キャップ副体
３　ペットボトル
４　外筒部
５　内筒部
６　口部
７　雄ネジ
８　雌ネジ
９　底蓋
１０　飲料の素
１１　薄肉部
１２　連結片
１３　ツマミ
１４　筒部
１５　雄ネジ
１６　雌ネジ
１７　爪片
１８　封止リング
１９　水
２０　封止リング
【図１】
2004083022.tif 000003
【図２】
2004083022.tif 000004